(57)【要約】【課題】バッテリで記憶したコンテンツを出力する際、出力するコンテンツを替えることができるバッテリ利用システムを得ることを目的とする。【解決手段】本発明にかかるバッテリ利用システムにおいて、バッテリは、コンテンツと、当該コンテンツの出力を制御するための条件に関する出力制御条件とを記憶し、携帯電話またはバッテリは、コンテンツを出力するための条件に関する出力条件を設定し、設定した出力条件および出力制御条件に基づいて、当該出力条件での出力が許されるコンテンツをバッテリから読み出し、読み出したコンテンツを携帯電話の画面に出力する。【選択図】図１４
2009118031.tif 000002
【特許請求の範囲】
【請求項１】
携帯端末とバッテリとで構成され、前記携帯端末と前記バッテリとを接続することにより前記バッテリから前記携帯端末への電源供給および前記バッテリと前記携帯端末との間の通信が可能となるバッテリ利用システムであって、
前記バッテリは、コンテンツと、当該コンテンツの出力を制御するための条件に関する出力制御条件とを記憶するバッテリ側記憶手段を備え、
前記携帯端末または前記バッテリは、前記バッテリ側記憶手段で記憶した前記コンテンツを、前記出力制御条件に従って、前記携帯端末が備える出力手段である携帯側出力手段に出力する出力制御手段を備えたこと
を特徴とするバッテリ利用システム。
【請求項２】
前記出力制御手段は、前記コンテンツを出力するための条件に関する出力条件を設定する設定手段と、前記設定手段で設定した前記出力条件および前記出力制御条件に基づいて、当該出力条件での出力が許される前記コンテンツを前記バッテリ側記憶手段から読み出す読出手段と、前記読出手段で読み出した前記コンテンツを前記携帯側出力手段に出力する出力実行手段と、をさらに備えたこと
を特徴とする請求項１に記載のバッテリ利用システム。
【請求項３】
前記出力制御条件は、前記コンテンツの出力を許可する対象者に関する出力許可対象者情報、前記コンテンツの出力を許可する期間に関する出力許可期間情報、前記コンテンツの出力を許可する範囲に関する出力許可範囲情報のうち少なくとも１つを含み、
前記出力条件は、前記携帯端末の利用者に関する利用者情報、日時に関する日時情報、前記携帯端末の位置に関する位置情報のうち少なくとも１つを含むこと
を特徴とする請求項２に記載のバッテリ利用システム。
【請求項４】
前記コンテンツが、電子クーポンおよび／または電子広告を含む場合、
前記出力許可対象者情報は、前記電子クーポンおよび／または前記電子広告で対象とする対象商品の販売規制に応じて設定されたものであり、
前記出力許可期間情報は、前記対象商品の在庫状況、前記対象商品の賞味期限までの残余日数、前記対象商品の販売計画のうち少なくとも１つに応じて設定されたものであること
を特徴とする請求項３に記載のバッテリ利用システム。
【請求項５】
前記携帯端末は、前記コンテンツの購入手続きが完了したことを示す購入手続完了情報を取得する取得手段をさらに備え、
前記携帯端末または前記バッテリは、前記取得手段で取得した前記購入手続完了情報に従って、購入した前記コンテンツの前記出力制御条件を無効にする無効手段と、前記無効手段で前記出力制御条件を無効にした前記コンテンツを、前記携帯端末が備える記憶手段である携帯側記憶手段に格納する格納実行手段とをさらに備えたこと
を特徴とする請求項１から３のいずれか１つに記載のバッテリ利用システム。
【請求項６】
前記バッテリの充電を行う充電器をさらに備えて構成され、
前記充電器は、前記バッテリの前記バッテリ側記憶手段で記憶した前記コンテンツおよび前記出力制御条件を、他の前記バッテリの前記バッテリ側記憶手段に移動する移動手段を備えたこと
を特徴とする請求項１から５のいずれか１つに記載のバッテリ利用システム。
【発明の詳細な説明】
【技術分野】
【０００１】
本発明は、バッテリ利用システムに関する。
【背景技術】
【０００２】
バッテリの利用に関する従来の技術としては、（特許文献１）や（特許文献２）が存在する。（特許文献１）には、バッテリ提供システムおよびバッテリ提供方法に関する発明が開示されている。（特許文献２）には、携帯電話の電池を充電する際の課金方法および課金システムに関する発明が開示されている。
【０００３】
そして、特に、（特許文献１）には、ユーザ情報を記憶しているバッテリが切れた際にユーザがこれを販売店に持参し、販売店がこの使用済みのバッテリを受け取り、これを充電器に装着すると、以下の処理が行われると記載されている。
【０００４】
まず、充電器がバッテリに記憶されているユーザ情報を読み出し、これを販売店側のパーソナルコンピュータおよびネットワークを介してメーカ側の管理サーバに送信する。そして、管理サーバは、販売店側から送信されたユーザ情報に基づいてそのユーザの趣向を解析し、この解析結果に応じてユーザの趣向に合った広告情報やクーポン情報等を販売店側に返信する。そして、販売店側が、管理サーバから送信されたユーザの趣向にあった広告情報等を充電済みのバッテリに書き込み、これをユーザに渡す。
【０００５】
以上の処理により、ユーザは、販売店側から渡された充電済みのバッテリに記憶されている広告情報をパーソナルコンピュータなどで再生することにより、そのユーザの趣向にあった有意義な広告を見ることができる。
【特許文献１】特開２００３−７３４８号公報
【特許文献２】特開２００３−１８２５５号公報
【発明の開示】
【発明が解決しようとする課題】
【０００６】
しかしながら、従来の技術によれば、バッテリは管理サーバから送信された広告情報等を格納しているのみであるので、バッテリで記憶した広告情報等を再生する際、再生する広告情報等を替えることはできないという問題点があった。
【０００７】
本発明は、上記問題点に鑑みてなされたものであって、バッテリで記憶したコンテンツを出力する際、出力するコンテンツを替えることができるバッテリ利用システムを提供することを目的とする。
【課題を解決するための手段】
【０００８】
上述した課題を解決し、上述した目的を達成するために、本発明において、バッテリは、コンテンツと、当該コンテンツの出力を制御するための条件に関する出力制御条件とを記憶するバッテリ側記憶手段を備え、携帯端末またはバッテリは、バッテリ側記憶手段で記憶したコンテンツを、出力制御条件に従って、携帯端末が備える出力手段である携帯側出力手段に出力する出力制御手段を備えたものである。
【発明の効果】
【０００９】
本発明によれば、バッテリで記憶したコンテンツを出力する際、出力するコンテンツを替えることができるバッテリ利用システムが得られる。
【発明を実施するための最良の形態】
【００１０】
第１の発明のバッテリ利用システムは、携帯端末とバッテリとで構成され、携帯端末とバッテリとを接続することによりバッテリから携帯端末への電源供給およびバッテリと携帯端末との間の通信が可能となるバッテリ利用システムであって、バッテリは、コンテンツと、当該コンテンツの出力を制御するための条件に関する出力制御条件とを記憶するバッテリ側記憶手段を備え、携帯端末またはバッテリは、バッテリ側記憶手段で記憶したコンテンツを、出力制御条件に従って、携帯端末が備える出力手段である携帯側出力手段に出力する出力制御手段を備えたことを特徴としたものである。この構成により、バッテリで記憶したコンテンツを出力する際、出力するコンテンツを替えることができるという作用を有する。
【００１１】
第２の発明のバッテリ利用システムは、第１の発明のバッテリ利用システムにおいて、出力制御手段は、コンテンツを出力するための条件に関する出力条件を設定する設定手段と、設定手段で設定した出力条件および出力制御条件に基づいて、当該出力条件での出力が許されるコンテンツをバッテリ側記憶手段から読み出す読出手段と、読出手段で読み出したコンテンツを携帯側出力手段に出力する出力実行手段と、をさらに備えたことを特徴としたものである。この構成により、バッテリで記憶したコンテンツを出力する際、所定の出力条件での出力が許されるコンテンツを絞り込んで出力することができるという作用を有する。
【００１２】
第３の発明のバッテリ利用システムは、第２の発明のバッテリ利用システムにおいて、出力制御条件は、コンテンツの出力を許可する対象者に関する出力許可対象者情報、コンテンツの出力を許可する期間に関する出力許可期間情報、コンテンツの出力を許可する範囲に関する出力許可範囲情報のうち少なくとも１つを含み、出力条件は、携帯端末の利用者に関する利用者情報、日時に関する日時情報、携帯端末の位置に関する位置情報のうち少なくとも１つを含むことを特徴としたものである。この構成により、バッテリで記憶したコンテンツを出力する際、所定の利用者に対する出力や所定の日時での出力や所定の場所での出力が許されるコンテンツを絞り込んで出力することができるという作用を有する。
【００１３】
第４の発明のバッテリ利用システムは、第３の発明のバッテリ利用システムにおいて、コンテンツが、電子クーポンおよび／または電子広告を含む場合、出力許可対象者情報は、電子クーポンおよび／または電子広告で対象とする対象商品の販売規制に応じて設定されたものであり、出力許可期間情報は、対象商品の在庫状況、対象商品の賞味期限までの残余日数、対象商品の販売計画のうち少なくとも１つに応じて設定されたものであることを特徴としたものである。この構成により、バッテリで記憶した電子クーポンおよび／または電子広告を出力する際、その対象商品の購入が許される利用者に対する出力や、在庫状況や賞味期限や販売計画などに応じて設定された日時での出力が許される電子クーポンおよび／または電子広告を絞り込んで出力することができるという作用を有する。
【００１４】
第５の発明のバッテリ利用システムは、第４の発明のバッテリ利用システムにおいて、携帯端末は、コンテンツの購入手続きが完了したことを示す購入手続完了情報を取得する取得手段をさらに備え、携帯端末またはバッテリは、取得手段で取得した購入手続完了情報に従って、購入したコンテンツの出力制御条件を無効にする無効手段と、無効手段で出力制御条件を無効にしたコンテンツを、携帯端末が備える記憶手段である携帯側記憶手段に格納する格納実行手段とをさらに備えたことを特徴としたものである。この構成により、コンテンツの購入および購入したコンテンツのダウンロードに掛かる通信費用を効果的に削減することできるという作用を有する。
【００１５】
第６の発明のバッテリ利用システムは、第５の発明のバッテリ利用システムにおいて、バッテリの充電を行う充電器をさらに備えて構成され、充電器は、バッテリのバッテリ側記憶手段で記憶したコンテンツおよび出力制御条件を、他のバッテリのバッテリ側記憶手段に移動する移動手段を備えたことを特徴としたものである。この構成により、バッテリで記憶したコンテンツを他のバッテリに引き継ぐことができるという作用を有する。
【００１６】
以下、本発明にかかるバッテリ利用システムの実施の形態を図面に基づいて詳細に説明する。なお、本実施の形態により本発明が限定されるものではない。
【００１７】
［１．本実施の形態の概要］
本実施の形態にかかるバッテリ利用システム（以下、本システムと記す場合がある。）の概要について、図１を参照して説明する。
【００１８】
図１は、本システム１の概要を示す図である。図１において、符号１はバッテリ利用システムであり、符号１０はバッテリであり、符号１１はコンテンツ管理サーバであり、符号１２はＰＯＳ管理サーバであり、符号１３はＰＯＳ（Ｐｏｉｎｔ  Ｏｆ  Ｓａｌｅｓ）端末であり、符号１４は充電ステーションであり、符号１５は携帯電話であり、符号１６はネットワークである。
【００１９】
本システム１は、本発明のバッテリに相当するバッテリ１０と、コンテンツ管理サーバ１１と、ＰＯＳ管理サーバ１２と、ＰＯＳ端末１３と、本発明の充電器に相当する充電ステーション１４と、本発明の携帯端末に相当する利用者が所有している携帯電話１５と、ネットワーク１６と、で構成される。コンテンツ管理サーバ１１およびＰＯＳ管理サーバ１２は、コンビニエンスストア店舗（以下、コンビニと記す場合がある。）の本社（以下、コンビニ本社と記す場合がある。）に設置される。ＰＯＳ端末１３および充電ステーション１４は、コンビニに設置される。なお、ＰＯＳ管理サーバ１２およびＰＯＳ端末１３は、それぞれコンビニ本社およびコンビニに既存のものでもよい。
【００２０】
つぎに、本システム１を利用したビジネスモデル（本システム１の導入〜運用）について、図１を参照して説明する。
【００２１】
まず、コンビニ本社は、本システム１を構成するバッテリ１０、コンテンツ管理サーバ１１および充電ステーション１４を、所定の代金を支払ってシステム製造メーカから購入する（Ｓ１）。つぎに、コンビニ本社は、Ｓ１で購入したバッテリ１０および充電ステーション１４をコンビニにリースする（Ｓ２）。
【００２２】
そして、携帯電話１５を所有している利用者は、コンビニ本社に設置されたコンテンツ管理サーバ１１から事前に送信された所定のクーポンや所定のアプリケーションプログラムを記憶した充電済みのバッテリ１０を、コンビニに来店した際、所定の代金を支払ってコンビニから購入する（Ｓ３）。つぎに、利用者は、Ｓ３で購入したバッテリ１０を、当該利用者が所有する携帯電話１５に図示の如く挿し込む（Ｓ４）。すると、バッテリ１０で記憶したアプリケーションプログラムが自動的に起動して、バッテリ１０で記憶したクーポンが携帯電話１５の画面に表示される（Ｓ５）。
【００２３】
そして、利用者は、コンビニでクーポンを利用して商品を購入する際、クーポンが表示されている携帯電話１５の画面を、ＰＯＳ端末１３と接続されているリーダーにかざし、商品の代金から当該クーポンで提示されている割引代金を差し引いた代金を現金または電子マネーで支払うことで商品を購入する（Ｓ６）。
【００２４】
そして、利用者は、Ｓ３で購入したバッテリ１０の電気が切れて携帯電話１５で使えなくなった際は、コンビニに出向いて、当該バッテリ１０を充電ステーション１４に置かれている充電済みの別のバッテリ１０と無償で交換する（Ｓ７）。なお、バッテリ１０を交換する際、充電ステーション１４は、利用者が持参したバッテリ１０で記憶したクーポンを当該利用者に渡すバッテリ１０に転送することで、バッテリ１０間のクーポンの引き継ぎを行ってもよい。
【００２５】
そして、ＰＯＳ端末１３は、所定のタイミングで、商品の売上実績や販売実績等に関するＰＯＳ情報と共に、クーポン利用履歴（クーポン利用実績）に関するクーポン利用履歴情報を、ＰＯＳ管理サーバ１２にネットワーク１６を介して送信する（Ｓ８）。つぎに、ＰＯＳ管理サーバ１２は、Ｓ８で送信したＰＯＳ情報およびクーポン利用履歴情報を受信し、それらをコンテンツ管理サーバ１１と連携しながら解析することでバッテリ１０に新しく記憶させるクーポンを決定し、決定したクーポンを充電ステーション１４にネットワーク１６を介して送信する（Ｓ９）。
【００２６】
そして、充電ステーション１４は、置かれているバッテリ１０について、その寿命がきたと判断した場合には、そのことを通知するための電池寿命アラートをコンテンツ管理サーバ１１にネットワーク１６を介して送信する（Ｓ１０）。つぎに、コンビニ本社の担当者は、Ｓ１０で送信した電池寿命アラートをコンテンツ管理サーバ１１で確認し、当該電池寿命アラートで特定されるバッテリ１０と新品のバッテリ１０を交換する（Ｓ１１）。
【００２７】
以上、本システム１を利用したビジネスモデルによれば、充電ステーション１４を設置するコンビニの広告による売上げを利用することにより、バッテリ１０の交換費用（購入済みのバッテリ１０を他のものと交換する際に掛かる費用。初回の購入に掛かる費用を除く。）を無料にすることができる。
【００２８】
また、バッテリ１０の充電目的に限らない付加価値（具体的にはクーポンを提供するという付加価値）により、コンビニへの集客効果が期待できる。例えば、スーパーやデパートなどでバッテリ１０をクーポンとして利用することで、当該スーパーや当該デパートの集客力を高めることができる。また、電子クーポンを利用するため、紙媒体のクーポンに比べてコストを掛けず、電子マネーと同程度に簡単且つ効率的なクーポンの配布ができる。
【００２９】
また、人的なバッテリ交換のため交換作業にＩＴ知識が不要であるので、特に機械が苦手な高齢者などでも本システム１を容易に利用することができる。また、バッテリ１０にアンケートコンテンツを蓄積しておけば、バッテリ１０の交換の際、バッテリ１０からアンケート結果を収集し集計することができるので、アンケート結果を把握できるだけでなく、その結果を分析して適切なクーポンをバッテリ１０に格納させることができる。また、バッテリ１０は例えば小型の燃料電池などでもよい。
【００３０】
［２．システム構成］
本システム１の構成について、図２から図１０を参照して説明する。
【００３１】
図２は、本システム１の全体構成の一例を示す図である。図２において、符号１はバッテリ利用システムであり、符号１０はバッテリであり、符号１１はコンテンツ管理サーバであり、符号１２はＰＯＳ管理サーバであり、符号１３はＰＯＳ端末であり、符号１４は充電ステーションであり、符号１５は携帯電話であり、符号１６ａはインターネット網であり、符号１６ｂはＰＯＳ管理網である。
【００３２】
本システム１は、バッテリ１０と、コンテンツ管理サーバ１１と、商品の売上実績や販売実績等に関するＰＯＳ情報などを管理するＰＯＳ管理サーバ１２と、ＰＯＳ端末１３と、充電ステーション１４と、携帯電話１５と、インターネット網１６ａおよびＰＯＳ管理網１６ｂと、で構成される。
【００３３】
図３は、本システム１を構成するバッテリ１０の構成の一例を示すブロック図であり、当該構成のうち本発明に関係する部分のみを概念的に示している。図３において、符号１０はバッテリであり、符号１０ａは制御部であり、符号１０ｂは電源制御部であり、符号１０ｃはＩ（Ｉｎｐｕｔ）／Ｏ（Ｏｕｔｐｕｔ）部であり、符号１０ｄはメモリ部であり、符号１０ｅは蓄電部である。
【００３４】
バッテリ１０は、制御部１０ａと電源制御部１０ｂとＩ／Ｏ部１０ｃとメモリ部１０ｄと蓄電部１０ｅとで構成され、これら各部は任意の通信路を介して通信可能に接続されている。なお、バッテリ１０は、コンテンツ表示用の操作キーを搭載してもよい。
【００３５】
制御部１０ａは、本発明の出力制御手段（具体的には、設定手段、読出手段および出力実行手段）、無効手段、格納実行手段を含むものであり、バッテリ１０を統括的に制御するＣＰＵ等である。電源制御部１０ｂは、蓄電部１０ｅとＩ／Ｏ部１０ｃとの間の電気の流れを制御する。具体的には、電源制御部１０ｂは、蓄電部１０ｅで蓄えた電気をＩ／Ｏ部１０ｃへ流すことにより当該Ｉ／Ｏ部１０ｃに接続した携帯電話１５へ電気の供給を行ったり、Ｉ／Ｏ部１０ｃから蓄電部１０ｅへ電気を流すことにより当該Ｉ／Ｏ部１０ｃに接続した充電ステーション１４から電気の供給を受けたりする。Ｉ／Ｏ部１０ｃは、携帯電話１５や充電ステーション１４を接続可能なインターフェース（接続Ｉ／Ｆ）であり、バッテリ１０と携帯電話１５や充電ステーション１４との間での電気の入出力および情報の入出力を媒介する。
【００３６】
メモリ部１０ｄは、本発明のバッテリ側記憶手段に相当するものであり、コンテンツや、当該コンテンツを閲覧するための処理に関するアプリケーションプログラムであるコンテンツ閲覧用アプリ（具体的には、クーポン／広告閲覧用アプリなど）や、当該コンテンツを視聴するための処理に関するアプリケーションプログラムであるコンテンツ視聴用アプリなどを記憶する。ここで、コンテンツは、例えば、電子クーポン、電子広告、施設（具体的には、テーマパーク、博物館、水族館など）の案内、施設で開催しているイベントの説明、施設で展示している展示物の説明、電子楽曲、電子書籍、占い情報などのうち少なくとも１つを含んでもよい。また、メモリ部１０ｄに、フラグ付きのコンテンツを複数ダウンロードしてもよい。なお、このフラグは例えば携帯電話１５で計時する時刻で制御してもよい。また、メモリ部１０ｄは、施設（具体的には、テーマパーク、博物館、水族館など）の案内、施設で開催しているイベントの説明、施設で展示している展示物の説明などに関するコンテンツを、当該コンテンツの出力を許可する範囲に関する出力許可範囲情報と共に格納してもよい。蓄電部１０ｅは電気を蓄える。
【００３７】
図４は、メモリ部１０ｄで記憶するコンテンツのデータ構造の一例を示す図である。図４に示すように、コンテンツは、図５や図６で示すようなヘッダと組み合わせてメモリ部１０ｄに格納される。
【００３８】
図５は、コンテンツがクーポンや広告である場合のヘッダのデータ構造の一例を示す図である。図５に示すように、ヘッダは、本発明の出力制御条件に相当するものであり、シリアルＩＤ、提供期間情報、提供対象者情報、提供時間帯情報、商品在庫情報から構成される。
【００３９】
シリアルＩＤは、提供地域情報、利用可能店舗情報、種別情報、シリアル番号、版数情報で構成される。提供地域情報は、クーポン／広告を提供する地域に関する情報であり、例えば“首都圏”のように記された情報である。利用可能店舗情報は、クーポン／広告の利用が可能な店舗に関する情報であり、例えば“新宿西口店”のように記された情報である。種別情報は、クーポン／広告で記されている商品の種別に関する情報であり、例えば“割引情報”のように記された情報である。
【００４０】
また、提供期間情報は、本発明の出力許可期間情報に相当するものであり、クーポン／広告を提供する期間に関する情報であり、例えば“２００７．０６．０１〜２００７．０７．０１”のように記された情報である。また、提供対象者情報は、本発明の出力許可対象者情報に相当するものであり、クーポン／広告を提供する対象者の特徴に関する情報であり、例えば“Ｆ１層向け”のように記された情報である。また、提供時間帯情報は、本発明の出力許可期間情報に相当するものであり、クーポン／広告を提供する時間帯に関する情報であり、例えば“夕方限定”のように記された情報である。また、商品在庫情報は、クーポン／広告で対象としている商品の在庫状況に関する情報であり、例えば“過剰在庫”のように記された情報である。
【００４１】
図６は、コンテンツが楽曲である場合のヘッダのデータ構造の一例を示す図である。図６に示すように、ヘッダは、本発明の出力制御条件に相当するものであり、シリアルＩＤ、嗜好判別情報、無料視聴有効期間情報、視聴回数情報、プロモーション種別情報から構成される。
【００４２】
シリアルＩＤは、カテゴリ情報、アーティスト情報、レーベル情報、シリアル番号、版数情報で構成される。カテゴリ情報は、楽曲のカテゴリに関する情報である。アーティスト情報は、楽曲の作曲家や作詞家や演奏者などに関する情報である。レーベル情報は、楽曲のレーベルに関する情報である。
【００４３】
また、嗜好判別情報は、本発明の出力許可対象者情報に相当するものであり、楽曲の視聴者の嗜好を判別するための情報であり、例えば“マニア向け”のように記された情報である。また、無料視聴有効期間情報は、本発明の出力許可期間情報に相当するものであり、楽曲を無料で視聴できる期間に関する情報であり、例えば“２００７．８．０１まで”のように記された情報である。また、視聴回数情報は、楽曲を視聴した回数に関する上書き可能な情報である。また、プロモーション種別情報は、楽曲のプロモーションの種別に関する情報であり、例えば“有料配布”や“無料視聴回数制限あり”のように記された情報である。
【００４４】
図７は、本システム１を構成するバッテリ１０の構成の別の一例を示すブロック図であり、当該構成のうち本発明に関係する部分のみを概念的に示している。図７において、符号１０はバッテリであり、符号１０ｃはＩ／Ｏ部であり、符号１０ｄはメモリ部であり、符号１０ｄ１はクーポン／広告閲覧用アプリであり、符号１０ｄ２は個体識別情報ファイルであり、符号１０ｄ３はクーポン／広告利用履歴ファイルであり、符号１０ｄ４は閲覧可能期間別クーポン／広告ファイルであり、符号１０ｅは蓄電部である。
【００４５】
メモリ部１０ｄは、本発明のバッテリ側記憶手段に相当するものであり、クーポン／広告閲覧用アプリ１０ｄ１と、個体識別情報ファイル１０ｄ２と、クーポン／広告利用履歴ファイル１０ｄ３と、閲覧可能期間別クーポン／広告ファイル１０ｄ４と、を格納する。
【００４６】
クーポン／広告閲覧用アプリ１０ｄ１は、クーポン／広告ファイルを閲覧するための処理に関するアプリケーションプログラムである。個体識別情報ファイル１０ｄ２は、個体としてのバッテリ１０を一意に識別するための個体識別情報を格納する。クーポン／広告利用履歴ファイル１０ｄ３は、クーポン／広告ファイルの利用履歴に関するクーポン／広告利用履歴情報を格納する。閲覧可能期間別クーポン／広告ファイル１０ｄ４は、閲覧可能期間別（例えば時間単位、日単位、週単位など）に、クーポン／広告ファイルを格納する。なお、閲覧可能期間別クーポン／広告ファイル１０ｄ４は、クーポン／広告ファイルを検索するためのファイル検索用テーブルおよびクーポン／広告ファイルの２段構造で構成してもよい。
【００４７】
図８は、本システム１を構成するコンテンツ管理サーバ１１およびＰＯＳ端末１３の構成の一例を示すブロック図であり、当該構成のうち本発明に関係する部分のみを概念的に示している。図８において、符号１１はコンテンツ管理サーバであり、符号１１ａは履歴参照部であり、符号１１ｂは履歴更新部であり、符号１１ｃはＢＡＴ利用者情報相互管理ファイルであり、符号１１ｄはＢＡＴ毎クーポン／広告利用履歴ファイルであり、符号１３はＰＯＳ端末であり、符号１３ａは履歴参照要求部であり、符号１３ｂは履歴更新要求部であり、符号１３ｃは個体識別情報読取部であり、符号１３ｄはクーポン費用減額部であり、符号１６はネットワークである。
【００４８】
コンテンツ管理サーバ１１は、履歴参照部１１ａと履歴更新部１１ｂとＢＡＴ利用者情報相互管理ファイル１１ｃとＢＡＴ毎クーポン／広告利用履歴ファイル１１ｄとで構成される。
【００４９】
履歴参照部１１ａは、履歴参照要求部１３ａから送信された履歴参照要求で特定されるクーポン／広告利用履歴情報をＢＡＴ毎クーポン／広告利用履歴ファイル１１ｄから参照し、それをＰＯＳ端末１３へ送信する。履歴更新部１１ｂは、履歴更新要求部１３ｂから送信された履歴更新要求で特定されるクーポン／広告利用履歴情報を更新する。ＢＡＴ利用者情報相互管理ファイル１１ｃは、バッテリ１０の利用者に関する利用者情報を格納する。ＢＡＴ毎クーポン／広告利用履歴ファイル１１ｄは、バッテリ１０ごとに、クーポン／広告利用履歴情報を格納する。ＢＡＴ毎クーポン／広告利用履歴ファイル１１ｄを、顧客情報（顧客の性別や年齢層に関する情報）に関するＰＯＳ端末１３内の管理ファイルと組み合わせてもよい。
【００５０】
ＰＯＳ端末１３は、履歴参照要求部１３ａと履歴更新要求部１３ｂと個体識別情報読取部１３ｃとクーポン費用減額部１３ｄとで構成される。
【００５１】
履歴参照要求部１３ａは、クーポン／広告利用履歴情報を参照するための履歴参照要求を履歴参照部１１ａに送信し、履歴参照部１１ａから送信されたクーポン／広告利用履歴情報を受信する。履歴更新要求部１３ｂは、クーポン／広告利用履歴情報を更新するための履歴更新要求を履歴更新部１１ｂに送信し、当該履歴更新要求で特定されるクーポン／広告利用履歴情報を履歴更新部１１ｂに更新させる。個体識別情報読取手段１３ｃは、バッテリ１０の個体識別情報を読み取る。クーポン費用減額部１３ｄは、クーポン／広告ファイルで指定された割引額を商品の販売価格から差し引く。
【００５２】
図９は、本システム１を構成する充電ステーション１４の構成の一例を示すブロック図であり、当該構成のうち本発明に関係する部分のみを概念的に示している。符号１４は充電ステーションであり、符号１４ａは制御部であり、符号１４ｂは電源制御部であり、符号１４ｃは通信部であり、符号１４ｄは格納部であり、符号１４ｅはＩ／Ｏ部である。
【００５３】
充電ステーション１４は、本発明の充電器に相当するものであり、制御部１４ａと電源制御部１４ｂと通信部１４ｃと格納部１４ｄとＩ／Ｏ部１４ｅとで構成され、これら各部は任意の通信路を介して通信可能に接続されている。
【００５４】
制御部１４ａは、本発明の移動手段を含むものであり、充電ステーション１４を統括的に制御するＣＰＵ等である。電源制御部１４ｂは、外部電源からＩ／Ｏ部１４ｅへの電気の流れを制御する。具体的には、電源制御部１４ｂは、外部電源からの電気をＩ／Ｏ部１４ｅへ流すことにより当該Ｉ／Ｏ部１４ｅに接続したバッテリ１０へ電気の供給を行う。通信部１４ｃは、ネットワーク１６との間で通信を行う。格納部１４ｄは、コンテンツ管理サーバ１１から送信されたコンテンツ（例えばクーポン／広告ファイルなど）を格納する。Ｉ／Ｏ部１４ｅは、バッテリ１０を接続可能なインターフェースであり、バッテリ１０への電気の供給およびバッテリ１０との通信を媒介する。
【００５５】
図１０は、本システム１を構成する携帯電話１５の構成の一例および本システムを構成するバッテリ１０の構成の別の一例を示すブロック図であり、当該構成のうち本発明に関係する部分のみを概念的に示している。図１０において、符号１５は携帯電話であり、符号１５ａはＣＰＵであり、符号１５ｂはＤＳＰであり、符号１５ｃは内蔵メモリであり、符号１５ｄは音声Ｉ／Ｆであり、符号１５ｅは電源制御部であり、符号１５ｆは蓄電部であり、符号１５ｇは通信Ｉ／Ｆであり、符号１５ｈは表示Ｉ／Ｆであり、符号１５ｉはメモリＩ／Ｆであり、符号１５ｊはオーディオＩ／Ｆであり、符号１５ｋはＫｅｙ入力Ｉ／Ｆであり、符号１５ｍは時刻／タイマであり、符号１５ｎは外部接続Ｉ／Ｆであり、符号１０はバッテリであり、符号１０ｃはＩ／Ｏ部を構成するステーションＩ／ＦおよびバッテリＩ／Ｆであり、符号１０ｄはメモリ部であり、符号１０ｅは蓄電部である。
【００５６】
携帯電話１５は、本発明の携帯端末に相当するものであり、ＣＰＵ１５ａとＤＳＰ１５ｂと内蔵メモリ１５ｃと音声Ｉ／Ｆ１５ｄと電源制御部１５ｅと蓄電部１５ｆと通信Ｉ／Ｆ１５ｇと表示Ｉ／Ｆ１５ｈとメモリＩ／Ｆ１５ｉとオーディオＩ／Ｆ１５ｊとＫｅｙ入力Ｉ／Ｆ１５ｋと時刻／タイマ１５ｍと外部接続Ｉ／Ｆ１５ｎとで構成され、これら各部は任意の通信路を介して通信可能に接続されている。
【００５７】
ＣＰＵ１５ａは、本発明の出力制御手段（具体的には、設定手段、読出手段および出力実行手段）や取得手段、無効手段、格納実行手段を含むものであり、携帯電話１５を統括的に制御する。ＤＳＰ１５ｂは、デジタルシグナルプロセッサである。内蔵メモリ１５ｃは、本発明の携帯側記憶手段に相当するものであり、情報を記憶する記憶手段である。音声Ｉ／Ｆ１５ｄは、例えばマイクのような音声を入力するためのインターフェースである。電源制御部１５ｅは、蓄電部１５ｆで蓄えた電気の流れを制御する。蓄電部１５ｆは電気を蓄える。通信Ｉ／Ｆ１５ｇは、外部との通信を行うためのインターフェースである。表示Ｉ／Ｆ１５ｈは、本発明の携帯側出力手段に相当するものであり、例えばモニタ（液晶画面）のような情報を表示するためのインターフェースである。メモリＩ／Ｆ１５ｉは、外部メモリを接続するためのインターフェースである。オーディオＩ／Ｆ１５ｊは、本発明の携帯側出力手段に相当するものであり、例えばスピーカのような音を出力するためのインターフェースである。Ｋｅｙ入力Ｉ／Ｆ１５ｋは、例えば操作キーや操作ボタンや十字ボタンなどのような利用者が情報を入力するためのインターフェースである。時刻／タイマ１５ｍは時刻を計時する手段である。なお、携帯端末１５（具体的にはＣＰＵ１５ａ）は、当該携帯端末１５の位置に関する位置情報を取得してもよい。また、携帯端末１５（具体的にはＣＰＵ１５ａ）は、当該取得した位置情報およびバッテリ１０に格納されている出力許可範囲情報に基づいて、当該位置情報に対応する位置での出力が許されるコンテンツを表示Ｉ／Ｆ１５ｈに表示してもよい。
【００５８】
バッテリ１０は、本発明のバッテリに相当するものであり、Ｉ／Ｏ部１０ｃと、本発明のバッテリ側記憶手段に相当するメモリ部１０ｄと、蓄電部１０ｅとで構成される。Ｉ／Ｏ部１０ｃは、携帯電話１５へ電気の供給を行うためのインターフェースであるバッテリＩ／Ｆ、および携帯電話１５や充電ステーション１４と通信を行うためのインターフェースであるステーションＩ／Ｆからなる。
【００５９】
［３．システムの処理］
上述した本システム１で行われる処理の一例について図１１から図１９を参照して説明する。
【００６０】
［３−１．コンテンツがクーポン／広告ファイルの場合］
コンテンツがクーポン／広告ファイルの場合において本システム１で行われる処理の一例について、図１１から図１６を参照して説明する。
【００６１】
［３−１−１．バッテリ１０へのクーポン／広告ファイルの配信］
図１１は、本システム１で行われるクーポン／広告ファイルの配信に関する処理の一例を示すフローチャートである。バッテリ１０が充電ステーション１４のＩ／Ｏ部１４ｅに挿入されている状態で、充電ステーション１４およびコンテンツ管理サーバ１１は以下の処理を行う。
【００６２】
まず、充電ステーション１４は、ネットワーク１６（具体的にはインターネット網１６ａ）を介してコンテンツ管理サーバ１１との通信を開始し、コンテンツ管理サーバ１１にクーポン／広告ファイルの抽出要求を送信する（ＳＡ１）。
【００６３】
つぎに、コンテンツ管理サーバ１１は、ＳＡ１で送信した抽出要求を受信すると、現在の日時に関する現在日時情報を取得し、取得した現在日時情報に基づいて現在から約１ヶ月先まで有効なクーポン／広告ファイルを抽出する（ＳＡ２）。
【００６４】
つぎに、充電ステーション１４は、ＳＡ２で抽出したクーポン／広告ファイルを、コンテンツ管理サーバ１１からダウンロードする（ＳＡ３）。
【００６５】
つぎに、充電ステーション１４は、ＳＡ３でダウンロードしたクーポン／広告ファイルを、Ｉ／Ｏ部１４ｅに挿入されているバッテリ１０のメモリ部１０ｄに配信する（ＳＡ４）。
【００６６】
［３−１−２．携帯電話１５へのバッテリ１０の初回接続時におけるユーザ情報登録とクーポン／広告閲覧用アプリのインストール］
図１２は、本システム１で行われるユーザ情報登録とクーポン／広告閲覧用アプリのインストールに関する処理の一例を示すフローチャートである。バッテリ１０が携帯電話１５の外部接続Ｉ／Ｆ１５ｎに挿入されると、バッテリ１０および携帯電話１５は以下の処理を行う。
【００６７】
まず、バッテリ１０は、携帯電話１５の表示Ｉ／Ｆ１５ｈに、当該バッテリ１０で記憶した初回ユーザ情報登録画面を起動する（ＳＢ１）。
【００６８】
そして、利用者は、携帯電話１５の表示Ｉ／Ｆ１５ｈに表示された初回ユーザ情報登録画面を見ながら携帯電話１５のＫｅｙ入力Ｉ／Ｆ１５ｋを操作して、性別および年齢に関する性別／年齢情報を入力する。
【００６９】
つぎに、携帯電話１５は、入力された性別／年齢情報を、登録日時に関する登録日時情報と共に、内蔵メモリ１５ｃに一時的に記憶する（ＳＢ２）。
【００７０】
つぎに、バッテリ１０は、携帯電話１５に、クーポン／広告閲覧用アプリを組み込む（ＳＢ３）。
【００７１】
［３−１−３．クーポン／広告ファイルの閲覧とお気に入り登録］
図１３は、本システム１で行われるクーポン／広告ファイルの閲覧とお気に入り登録に関する処理の一例を示すフローチャートである。クーポン／広告ファイルの閲覧要求がキー入力やＱコードなどでなされると、バッテリ１０を接続した携帯電話１５は以下の処理を行う。
【００７２】
まず、携帯電話１５は、クーポン／広告閲覧用アプリを起動する（ＳＣ１）。
【００７３】
つぎに、携帯電話１５は、時刻／タイマ１５ｍで、現在の日時や時刻に関する現在時刻情報（本発明の出力条件（具体的には本発明の日時情報）に相当）を参照する（ＳＣ２：本発明の設定手段の処理に相当）。
【００７４】
つぎに、携帯電話１５は、ＳＣ２で参照した現在時刻情報に合致するクーポン／広告ファイルをバッテリ１０から探し、合致するクーポン／広告ファイルが有る場合（ＳＣ３：Ｙｅｓ）には、その合致したクーポン／広告ファイルをバッテリ１０から当該携帯電話１５に読み込む（ＳＣ４：本発明の読込手段の処理に相当）。
【００７５】
一方、携帯電話１５は、合致するクーポン／広告ファイルが無い場合（ＳＣ３：Ｎｏ）には、デフォルトで設定されているクーポン／広告ファイル（例えば５００円以上の買い物で５０円引き）をバッテリ１０から当該携帯電話１５に読み込む（ＳＣ５：本発明の読込手段の処理に相当）。
【００７６】
つぎに、携帯電話１５は、事前に登録された性別／年齢情報（本発明の出力条件（具体的には本発明の利用者情報）に相当）に合致するクーポン／広告ファイルをバッテリ１０から探し、合致するクーポン／広告ファイルが有る場合（ＳＣ６：Ｙｅｓ）には、その合致したクーポン／広告ファイルをバッテリ１０から当該携帯電話１５に読み込む（ＳＣ７：本発明の読込手段の処理に相当）。
【００７７】
つぎに、携帯電話１５は、ＳＣ４またはＳＣ５で読み込んだクーポン／広告ファイルおよびＳＣ７で読み込んだクーポン／広告ファイルを表示Ｉ／Ｆ１５ｈに一覧表示する（ＳＣ８：本発明の出力実行手段の処理に相当）。
【００７８】
そして、利用者は、携帯電話１５の表示Ｉ／Ｆ１５ｈに表示したクーポン／広告ファイルの一覧や各クーポン／広告ファイルの詳細を見ながら、携帯電話１５のＫｅｙ入力Ｉ／Ｆ１５ｋを操作して、使いたいクーポン／広告ファイルを指定する。
【００７９】
つぎに、携帯電話１５は、指定されたクーポン／広告ファイルにフラグを付与することで、当該クーポン／広告ファイルをお気に入りとして登録する（ＳＣ９）。
【００８０】
以上により、表示するクーポン／広告ファイルを時間軸に沿って替えることができたり、利用者の性別や年齢によって替えることができたりするので、コンビニ等での来店頻度を上げることができる。また、表示するクーポン／広告ファイルを時刻や日時によって限定することができるので、多くのクーポン／広告ファイルの中から利用者が複雑な操作を行って所望のクーポン／広告ファイルを選択せずに、表示するクーポン／広告ファイルを効果的に絞り込むことができる。
【００８１】
また、表示するクーポン／広告ファイルを年齢層に従って替えることができるので、不適切なクーポン／広告ファイル（例えば未成年者へのアルコール飲料の割引情報など）の表示を効果的に回避することができる。また、表示するクーポン／広告ファイルをＰＯＳ情報に従って替えることができるので、戦略的なクーポン／広告の表示を行うことができる。具体的には、例えば在庫状況（在庫量）や賞味期限までの残余日数や商品毎の販売促進期間などに応じて、価格割引情報に関するクーポン／広告ファイルを適切に表示することができるので、不良在庫（地区内の複数店舗の在庫や店舗毎の在庫）を効果的に減らすことができる。
【００８２】
また、バッテリ１０に記憶したクーポン／広告ファイルのうち現日時で有効なものを抽出して表示し、敢えてそれ以外のものを表示しないので、コンビニ等への来店頻度を維持することができる。具体的には、未来の情報（例えば明日の情報）を表示しないようにすることができるので、利用者を即座に店に向いたくなるような感覚にさせることができる。また、バッテリ１０の交換時の来店で他商品の購入を期待することができる。
【００８３】
また、バッテリ１０に様々な企業広告を格納しておけば、年齢や性別などの個人情報に基づいてそれに合致する企業広告を判定（抽出）して携帯電話１５に表示することができるので、効果的な広告配信が行え、結果として、広告主が期待する販売への効果が期待できる。
【００８４】
また、クーポン／広告ファイルは、バッテリ１０の提供側がギャランティするものであるので、携帯電話１５でウイルス感染の恐れのある操作（例えばＷｅｂへのアクセスなど）が不要であり、利用者は安心して本システム１を使うことができる。特に、高齢者は、メール以外は怖くて使いこなしていないという現状があるので、本システム１の利用者として好適である。
【００８５】
［３−１−４．携帯電話１５へのバッテリ１０の初回接続時におけるクーポン／広告閲覧用アプリのインストールとクーポン／広告ファイルの閲覧］
図１４は、本システム１で行われる携帯電話１５へのバッテリ１０の初回接続時におけるクーポン／広告閲覧用アプリのインストールとクーポン／広告ファイルの閲覧に関する処理の一例を示すフローチャートである。バッテリ１０が携帯電話１５の外部接続Ｉ／Ｆ１５ｎに挿入されると、バッテリ１０と携帯電話１５との間で以下の処理が行われる。
【００８６】
まず、バッテリ１０は、携帯電話１５に、クーポン／広告閲覧用アプリを組み込む（ＳＤ１）。なお、クーポン／広告閲覧用アプリは、例えばＪａｖａ（登録商標）で作成されたものなどでもよい。
【００８７】
つぎに、携帯電話１５は、ＳＤ１で組み込んだクーポン／広告閲覧用アプリを起動する（ＳＤ２）。例えば、携帯電話１５は、バッテリ１０の識別ＩＤを認識して、識別ＩＤに合致する内臓アプリ（携帯電話１５に内蔵されているアプリ）を起動してもよい。
【００８８】
つぎに、携帯電話１５は、時刻／タイマ１５ｍで、現在の日時や時刻に関する現在時刻情報（本発明の出力条件（具体的には本発明の日時情報）に相当）を参照する（ＳＤ３：本発明の設定手段の処理に相当）。
【００８９】
つぎに、携帯電話１５は、ＳＤ３で参照した現在時刻情報に合致するクーポン／広告ファイルをバッテリ１０から探し、合致するクーポン／広告ファイルが有る場合（ＳＤ４：Ｙｅｓ）には、その合致したクーポン／広告ファイルをバッテリ１０から当該携帯電話１５に読み込む（ＳＤ５：本発明の読込手段の処理に相当）。
【００９０】
一方、携帯電話１５は、合致するクーポン／広告ファイルが無い場合（ＳＤ４：Ｎｏ）には、デフォルトで設定されているクーポン／広告ファイルをバッテリ１０から当該携帯電話１５に読み込む（ＳＤ６：本発明の読込手段の処理に相当）。
【００９１】
つぎに、携帯電話１５は、ＳＤ５またはＳＤ６で読み込んだクーポン／広告ファイルを表示Ｉ／Ｆ１５ｈに一覧表示する（ＳＤ７：本発明の出力実行手段の処理に相当）。
【００９２】
以上により、［３−１−３．クーポン／広告ファイルの閲覧とお気に入り登録］で説明した効果と同様の効果を得ることができる。また、バッテリ１０が携帯電話１５に挿入されると図１４に示した処理が行われるので、携帯電話１５の操作に不慣れな年齢層の方でも簡単に本システム１を利用することができる。
【００９３】
［３−１−５．クーポン／広告ファイルの利用とＰＯＳ連携による精算（その１）］
図１５は、本システム１で行われるクーポン／広告ファイルの利用とＰＯＳ連携による精算（その１）に関する処理の一例を示すフローチャートである。クーポン／広告ファイルの閲覧要求がなされると、バッテリ１０が接続されている携帯電話１５とＰＯＳ端末１３は以下の処理を行う。
【００９４】
まず、携帯電話１５は、クーポン／広告閲覧用アプリを起動する（ＳＥ１）。
【００９５】
つぎに、携帯電話１５は、お気に入りとして事前に登録されているクーポン／広告ファイルを表示Ｉ／Ｆ１５ｈに一覧表示する（ＳＥ２）。
【００９６】
そして、利用者は、携帯電話１５の表示Ｉ／Ｆ１５ｈに表示したクーポン／広告ファイルの一覧を見ながら、携帯電話１５のＫｅｙ入力Ｉ／Ｆ１５ｋを操作して、使いたいクーポン／広告ファイルを選択する。
【００９７】
つぎに、携帯電話１５は、選択されたクーポン／広告ファイルの有効期間を確認し（ＳＥ３）、有効期間内である場合（ＳＥ４：Ｙｅｓ）には、当該クーポン／広告ファイルの詳細（例えばバーコードやＱコードなど）を表示Ｉ／Ｆ１５ｈに表示する（ＳＥ５）。なお、有効期限の確認の際、予め設定した特定日に該当する場合には、特別なクーポン／広告ファイルを表示してもよい。
【００９８】
一方、携帯電話１５は、有効期間内でない場合（ＳＥ４：Ｎｏ）には、当該クーポン／広告ファイルが有効期限切れであることを示すメッセージを表示Ｉ／Ｆ１５ｈに表示する（ＳＥ６）。
【００９９】
そして、利用者は、携帯電話１５の表示Ｉ／Ｆ１５ｈに表示したクーポン／広告ファイルを、コンビニ等の店に設置されているリーダーにかざすと共に、精算方法（現金または電子マネー）を選択する。
【０１００】
つぎに、ＰＯＳ端末１３は、選択された精算方法が電子マネーである場合（ＳＥ７：電子マネー）には、クーポン／広告ファイルの対象商品の販売価格から当該クーポン／広告ファイルで指定された割引額を値引いて、当該対象商品の購入費用等を電子マネーで精算すると共に、携帯電話１５で記憶している性別／年齢情報およびバッテリ１０で記憶しているクーポン／広告利用履歴情報を取得する（ＳＥ８）。
【０１０１】
一方、ＰＯＳ端末１３は、選択された精算方法が現金である場合（ＳＥ７：現金）には、クーポン／広告ファイルの対象商品の販売価格から当該クーポン／広告ファイルで指定された割引額を値引いて、当該対象商品の購入費用等を現金で精算すると共に、携帯電話１５で記憶している性別／年齢情報およびバッテリ１０で記憶しているクーポン／広告利用履歴情報を取得する（ＳＥ９）。
【０１０２】
［３−１−６．クーポン／広告ファイルの利用とＰＯＳ連携による精算（その２）］
図１６は、本システム１で行われるクーポン／広告ファイルの利用とＰＯＳ連携による精算（その２）に関する処理の一例を示すフローチャートである。バッテリ１０がＰＯＳ端末１３に接続されると、ＰＯＳ端末１３は以下の処理を行う。なお、バッテリ１０をＰＯＳ端末１３に接続する以外にも、ＰＯＳ端末１３が、例えばバッテリ１０のバーコードなどによりバッテリ１０を識別してもよい。
【０１０３】
まず、ＰＯＳ端末１３は、バッテリ１０から、クーポン／広告利用履歴情報を確認して、利用可能なクーポン／広告ファイルを抽出する（ＳＦ１）。なお、クーポン／広告利用履歴情報はＰＯＳ端末１３経由でコンテンツ管理サーバ１１で管理し、ＰＯＳ端末１３は、バッテリ１０の個体識別情報に基づいてコンテンツ管理サーバ１１からクーポン／広告利用履歴情報を確認してもよい。
【０１０４】
つぎに、ＰＯＳ端末１３は、ＳＦ１で利用可能なクーポン／広告ファイルが抽出できた場合（ＳＦ２：Ｙｅｓ）には、当該クーポン／広告ファイルの対象商品の販売価格から当該クーポン／広告ファイルで指定された割引額を値引いて、当該対象商品の購入費用等を電子マネーまたは現金で精算すると共に、バッテリ１０で記憶しているクーポン／広告利用履歴情報を更新する（ＳＦ３）。なお、クーポン／広告利用履歴情報はＰＯＳ端末１３経由でコンテンツ管理サーバ１１で管理してもよい。
【０１０５】
［３−２．コンテンツが電子楽曲や電子書籍や占い情報の場合］
コンテンツが電子楽曲や電子書籍や占い情報の場合において本システム１で行われる処理の一例について、図１７から図１９を参照して説明する。
【０１０６】
［３−２−１．占いコンテンツの閲覧］
図１７は、本システム１で行われる占いコンテンツの閲覧に関する処理の一例を示すフローチャートである。占いコンテンツの閲覧要求がなされると、１週間分の占いコンテンツを格納したバッテリ１０を接続した携帯電話１５は以下の処理を行う。
【０１０７】
まず、携帯電話１５は、コンテンツ閲覧用アプリを起動する（ＳＧ１）。
【０１０８】
つぎに、携帯電話１５は、時刻／タイマ１５ｍで、現在の日時に関する現在日時情報（本発明の出力条件（具体的には本発明の日時情報）に相当）を取得する（ＳＧ２）。
【０１０９】
つぎに、携帯電話１５は、ＳＧ２で取得した現在日時情報に基づいて、表示期間内の占いコンテンツをバッテリ１０から探し、表示期間内の占いコンテンツ（具体的にはその日の占いコンテンツ）が有る場合（ＳＧ３：Ｙｅｓ）には、その占いコンテンツを表示Ｉ／Ｆ１５ｈに表示する（ＳＧ４：本発明の読込手段および出力実行手段の処理に相当）。
【０１１０】
［３−２−２．楽曲コンテンツの試聴と購入］
図１８は、本システム１で行われる楽曲コンテンツの試聴と購入に関する処理の一例を示すフローチャートである。楽曲コンテンツの試聴要求がなされると、１週間だけ無償で試聴可能な楽曲コンテンツを格納したバッテリ１０が接続されている携帯電話１５は以下の処理を行う。
【０１１１】
まず、携帯電話１５は、コンテンツ視聴用アプリを起動する（ＳＨ１）。
【０１１２】
つぎに、携帯電話１５は、時刻／タイマ１５ｍで、現在の日時に関する現在日時情報（本発明の出力条件（具体的には本発明の日時情報）に相当）を取得する（ＳＨ２）。
【０１１３】
つぎに、携帯電話１５は、ＳＧ２で取得した現在日時情報に基づいて、試聴期間内の楽曲コンテンツをバッテリ１０から探し、試聴期間内の楽曲コンテンツが有る場合（ＳＨ３：Ｙｅｓ）には、その楽曲コンテンツをオーディオＩ／Ｆ１５ｊに再生する（ＳＨ４：本発明の読込手段および出力実行手段の処理に相当）。
【０１１４】
そして、利用者は、その楽曲コンテンツの購入手続きを携帯電話１５のＫｅｙ入力Ｉ／Ｆ１５ｋを操作して、携帯電話１５に指示する。
【０１１５】
携帯電話１５は、利用者により指示された楽曲コンテンツの購入手続きを、当該楽曲コンテンツの販売サイトへアクセスして、パケット通信で行なう（ＳＨ５：本発明の取得手段の処理に相当）。なお、バッテリ１０内の楽曲コンテンツを購入しな且つた場合は、バッテリ１０は当該楽曲コンテンツを試聴期間経過後に自動で消去してもよい。
【０１１６】
携帯電話１５は、ＳＨ５で購入手続きが完了した楽曲コンテンツをバッテリ１０から取得し（楽曲コンテンツの永久有効化処理も実行）、内蔵メモリ１５ｃに記憶する（ＳＨ６：本発明の無効手段および格納実行手段に相当）。
【０１１７】
以上により、バッテリ１０に楽曲などを複数格納することができるので、利用者は、携帯パケット通信網経由で楽曲等を高額且つ長時間のダウンロードによって得るという現在の主な利用形態とは異なり、バッテリ１０（または充電ステーション１４）経由で楽曲等を低額且つ短時間のダウンロードによって得ることができる。また、楽曲コンテンツ等の永久有効化処理を携帯サイト経由で行うことにより、少ないデータ通信量で楽曲コンテンツ等を取得することができ、その結果、無線通信インフラへの負荷を減らし、通信コストを削減することができる。
【０１１８】
また、携帯電話１５本体で得た時刻情報に基づいて、楽曲コンテンツの視聴の有効／無効を制御することができる。また、携帯電話１５本体からの操作により、楽曲コンテンツの視聴回数を把握することができるので、これに基づいて楽曲コンテンツの視聴の有効／無効を制御することができる。また、バッテリ１０の購入時またはそれ以降に、性別や年齢などの個人情報を入力したり、入力済みのものを変更したりすることができる。また、売り出し中の新人の楽曲コンテンツをバッテリ１０に格納して配信することで、バッテリ１０の利用だけでなく、楽曲の販売促進も実現することができる。また、広告情報などをランダムに配信してもよく、年齢や性別などの個人情報に合った楽曲コンテンツをバッテリ１０の交換時にダウンロードしてもよい。
【０１１９】
［３−２−３．書籍コンテンツの部分閲覧と購入］
図１９は、本システム１で行われる書籍コンテンツの部分閲覧と購入に関する処理の一例を示すフローチャートである。書籍コンテンツの閲覧要求がなされると、無料で閲覧可能な部分を含む書籍コンテンツを格納したバッテリ１０を接続した携帯電話１５は以下の処理を行う。
【０１２０】
まず、携帯電話１５は、コンテンツ閲覧用アプリを起動する（ＳＩ１）。
【０１２１】
つぎに、携帯電話１５は、バッテリ１０内の書籍コンテンツにおける無料で閲覧可能な部分を、表示Ｉ／Ｆ１５ｈに表示する（ＳＩ２）。
【０１２２】
そして、利用者は、その書籍コンテンツの購入手続きを携帯電話１５のＫｅｙ入力Ｉ／Ｆ１５ｋを操作して、携帯電話１５に指示する。
【０１２３】
つぎに、携帯電話１５は、利用者により指示された書籍コンテンツの購入手続きを、当該書籍コンテンツの販売サイトへアクセスして、パケット通信で行なう（ＳＩ３：本発明の取得手段の処理に相当）。
【０１２４】
携帯電話１５は、ＳＩ３で購入手続きが完了した書籍コンテンツ（具体的には、無料で閲覧可能な部分以外の書籍コンテンツ）をバッテリ１０から取得し（書籍コンテンツの永久有効化処理も実行）、内蔵メモリ１５ｃに記憶する（ＳＩ４：本発明の無効手段および格納実行手段に相当）。
【０１２５】
以上により、バッテリ１０に漫画や小説などの書籍を複数格納することができるので、利用者は、携帯パケット通信網経由で書籍等を高額且つ長時間のダウンロードによって得るという現在の主な利用形態とは異なり、バッテリ１０（または充電ステーション１４）経由で書籍等を低額且つ短時間のダウンロードによって得ることができる。また、書籍コンテンツ等の永久有効化処理を携帯サイト経由で行うことにより、少ないデータ通信量で書籍コンテンツ等を取得することができ、その結果、無線通信インフラへの負荷を減らし、通信コストを削減することができる。
【０１２６】
また、携帯電話１５本体からの操作により、書籍コンテンツの閲覧回数を把握することができるので、これに基づいて書籍コンテンツの閲覧の有効／無効を制御することができる。また、バッテリ１０の購入時またはそれ以降に、性別や年齢などの個人情報を入力したり、入力済みのものを変更したりすることができる。
【０１２７】
［４．他の実施の形態］
博物館や水族館などにおいて、入場時に、見学する絵画や動物などの展示品や展示物などに関するコンテンツを蓄積したバッテリ１０を貸し出すことで、携帯電話１５のバッテリを消耗することなく当該コンテンツを閲覧することができる。
【０１２８】
また、テーマパークなどにおいて、入場時に、テーマパークの案内や本日のイベントに関するコンテンツを蓄積したバッテリ１０を貸し出すことで、携帯電話１５の電気を消耗することなく当該コンテンツを閲覧することができ、その結果、バッテリ消費量を気にすることなく携帯電話１５を用いてテーマパーク内で写真撮影などを行うことができる。
【０１２９】
例えば、携帯電話１５は、当該携帯電話１５の位置に関する位置情報を取得し、取得した位置情報および予めコンテンツ毎に設定された出力許可範囲情報（当該コンテンツの出力を許可する範囲に関する情報）に基づいて、当該位置での出力が許可されるコンテンツをバッテリ１０から読み出し、読み出したコンテンツを表示Ｉ／Ｆ１５ｈに表示する。これにより、博物館や水族館、テーマパークなどの施設において、当該施設内の展示物やイベントなどに関するコンテンツを蓄積したバッテリ１０が接続された携帯電話１５を所持する利用者は、各展示物の展示場所や各イベントの開催場所の付近（例えば展示位置や開催位置を含む一定の範囲）に近づくと、その場所に展示されている展示物やその場所で開催されているイベントなどに関する情報を、携帯端末１５を介して確認することができる。
【０１３０】
また、博物館や水族館、テーマパークなどにおいてコンテンツを格納したバッテリ１０を貸し出す場合、コンテンツを格納したＰＤＡを貸し出していたこれまでの場合と比べて貸し出す機材が安価且つ小さいので、貸し出し費用を低く抑えることができ、広告等の掲載による収入が確保できれば、貸し出し費用を無料にすることもできる。
【０１３１】
また、本システム１ではコンテンツの閲覧可能時間を限定できるので、貸し出したバッテリ１０に重要なコンテンツが含まれていても、当該バッテリ１０を回収する必要はない。そして、広告等の掲載による収入が確保できれば、貸し出したバッテリ１０を返却しなくてもよくなるので、その無償配布も可能となる。そして、バッテリ１０の無償配布が可能となれば、バッテリ１０の貸し出し手続きが不要となるので、これまでのような貸し出しの際の行列待ちを無くすことができる。
【０１３２】
また、バッテリ１０には静止画だけでなく音声や動画も格納できる。また、バッテリ１０に格納したコンテンツを閲覧したかどうかを判定することも携帯電話１５の内臓アプリで可能であるので、その判定結果の情報を利用してスタンプラリーのようなゲーム要素を取り入れることができる。
【産業上の利用可能性】
【０１３３】
本発明にかかるバッテリ利用システムは、情報通信分野など産業上の様々な分野において有用であり、特に、携帯電話を利用した利用者へのコンテンツの配信に適している。
【図面の簡単な説明】
【０１３４】
【図１】本システムの概要を示す図
【図２】本システムの全体構成の一例を示す図
【図３】本システムを構成するバッテリの構成の一例を示すブロック図
【図４】メモリ部で記憶するコンテンツのデータ構造の一例を示す図
【図５】コンテンツがクーポンや広告である場合のヘッダのデータ構造の一例を示す図
【図６】コンテンツが楽曲である場合のヘッダのデータ構造の一例を示す図
【図７】本システムを構成するバッテリの構成の別の一例を示すブロック図
【図８】本システムを構成するコンテンツ管理サーバおよびＰＯＳ端末の構成の一例を示すブロック図
【図９】本システムを構成する充電ステーションの構成の一例を示すブロック図
【図１０】本システムを構成する携帯電話の構成の一例および本システムを構成するバッテリの構成の別の一例を示すブロック図
【図１１】本システムで行われるクーポン／広告ファイルの配信に関する処理の一例を示すフローチャート
【図１２】本システムで行われるユーザ情報登録とクーポン／広告閲覧用アプリのインストールに関する処理の一例を示すフローチャート
【図１３】本システムで行われるクーポン／広告ファイルの閲覧とお気に入り登録に関する処理の一例を示すフローチャート
【図１４】本システムで行われる携帯電話へのバッテリの初回接続時におけるクーポン／広告閲覧用アプリのインストールとクーポン／広告ファイルの閲覧に関する処理の一例を示すフローチャート
【図１５】本システムで行われるクーポン／広告ファイルの利用とＰＯＳ連携による精算（その１）に関する処理の一例を示すフローチャート
【図１６】本システムで行われるクーポン／広告ファイルの利用とＰＯＳ連携による精算（その２）に関する処理の一例を示すフローチャート
【図１７】本システムで行われる占いコンテンツの閲覧に関する処理の一例を示すフローチャート
【図１８】本システムで行われる楽曲コンテンツの試聴と購入に関する処理の一例を示すフローチャート
【図１９】本システムで行われる書籍コンテンツの部分閲覧と購入に関する処理の一例を示すフローチャート
【符号の説明】
【０１３５】
１    バッテリ利用システム
１０    バッテリ
１０ａ    制御部
１０ｂ    電源制御部
１０ｃ    Ｉ／Ｏ部
１０ｄ    メモリ部
１０ｅ    蓄電部
１１    コンテンツ管理サーバ
１２    ＰＯＳ管理サーバ
１３    ＰＯＳ端末
１４    充電ステーション
１５    携帯電話
１６    ネットワーク
【図１】
2009118031.tif 000003
【図２】
2009118031.tif 000004
【図３】
2009118031.tif 000005
【図４】
2009118031.tif 000006
【図５】
2009118031.tif 000007
【図６】
2009118031.tif 000008
【図７】
2009118031.tif 000009
【図８】
2009118031.tif 000010
【図９】
2009118031.tif 000011
【図１０】
2009118031.tif 000012
【図１１】
2009118031.tif 000013
【図１２】
2009118031.tif 000014
【図１３】
2009118031.tif 000015
【図１４】
2009118031.tif 000016
【図１５】
2009118031.tif 000017
【図１６】
2009118031.tif 000018
【図１７】
2009118031.tif 000019
【図１８】
2009118031.tif 000020
【図１９】
2009118031.tif 000021